(57)【特許請求の範囲】
【請求項１】
被覆導線の被覆を剥がすための被覆剥がし具であって、
ヒンジ部と、
前記ヒンジ部を挟んで対向する一対の板状の操作板と、
前記一対の操作板のうち少なくとも一方の操作板の内面に設けられる凸条からなる切断刃とを備え、
前記ヒンジ部で前記一対の操作板の内面が対向するよう２つ折り可能に構成されており、
樹脂により一体成型されていることを特徴とする被覆剥がし具。
【請求項２】
前記切断刃が、前記一対の操作板の両方の内面に設けられている請求項１に記載の被覆剥がし具。
【請求項３】
前記ヒンジ部が、前記一対の操作板より薄肉の線状ヒンジからなる請求項１、又は請求項２に記載の被覆剥がし具。
【請求項４】
被覆導線の被覆を剥がすための被覆剥がし具であって、
ヒンジ部と、
前記ヒンジ部を挟んで対向する一対の板状の操作板と、
前記一対の操作板のうち少なくとも一方の操作板の内面に設けられる凸条からなる切断刃とを備え、
前記ヒンジ部で前記一対の操作板の内面が対向するよう２つ折り可能に構成されており、
前記切断刃は、前記ヒンジ部に垂直に延び、
前記切断刃の稜線は、ヒンジ部に垂直で、当該切断刃が設けられる操作板に対し傾斜するとともにヒンジ部の軸心に交差する直線上に設けられていることを特徴とする被覆剥がし具。
【請求項５】
被覆導線の被覆を剥がすための被覆剥がし具であって、
ヒンジ部と、
前記ヒンジ部を挟んで対向する一対の板状の操作板と、
前記一対の操作板のうち少なくとも一方の操作板の内面に設けられる凸条からなる切断刃とを備え、
前記ヒンジ部で前記一対の操作板の内面が対向するよう２つ折り可能に構成されており、
前記切断刃の突出端部における横断面の輪郭が凸曲線状に設けられていることを特徴とする被覆剥がし具。
【請求項６】
操作板の周縁から当該操作板に設けられる切断刃に垂直な方向に延出する物差しを備え
る請求項１から請求項５のいずれか１項に記載の被覆剥がし具。
【請求項７】
ランナーにパーツが一体的に設けられたパーツセットであって、
ヒンジ部と、前記ヒンジ部を挟んで対向する一対の板状の操作板と、前記一対の操作板のうち少なくとも一方の操作板の内面に設けられる凸条からなる切断刃とを備え、前記ヒンジ部で前記一対の操作板の内面が対向するよう２つ折り可能であり、被覆導線の被覆を剥がすよう構成された被覆剥がし具が一体的に設けられていることを特徴とするパーツセット。
【請求項８】
前記ランナーは、パーツセット周縁を取り囲む外枠ランナーを有し、
前記被覆剥がし具が、前記外枠ランナーに設けられている請求項７に記載のパーツセッ
ト。
【発明の詳細な説明】
【技術分野】
【０００１】
この発明は、被覆導線の被覆剥がし具に関し、特に小学生用の理科教材やプラモデル等に用いられる導線の被覆を剥がすために用いられる被覆剥がし具、及び該被覆剥がし具を備えたパーツセット関する。
【背景技術】
【０００２】
従来、モーターや電池等を具備した理科教材等のキットには、一般的に、被覆導線が備え付けられている（例えば、特許文献１）。かかるキットでは、備え付けられた被覆導線を必要な長さに切断し、切断した被覆導線の端部の被覆を剥がしながら電気配線を行うものが一般的である。
【０００３】
ところが、ペンチやニッパー等の工具で被覆を剥がす作業はある程度の熟練を要するため、教師が一度説明した程度では小学生等が簡単にできるものではなく、授業時間内にキットが組み立てられないという問題が有り、また、生徒が工具を持参し忘れるという問題や、工具で怪我をするという問題が有る。
【０００４】
そこで、ペンチやニッパー等の工具を必要とせずに導線の被覆を剥がせるように、被覆の薄さや材質を工夫して、爪でつまんで引っ張るだけで被覆が容易に剥がれる導線が販売されている。
【先行技術文献】
【特許文献】
【０００５】
【特許文献１】実用新案登録第３０３７５４７号公報
【発明の概要】
【発明が解決しようとする課題】
【０００６】
しかし、この剥がしやすい被覆であっても、力の弱い子供や爪の短い子供にとっては、剥がすのが困難なため、このような子供は結局工具を用いなくてはならないという問題が有る。
本発明は、上記課題に鑑みてなされたものであり、力の弱い子供や爪の短い子供であっても容易に被覆導線の被覆を剥がせる被覆剥がし具の提供を目的とする。
【課題を解決するための手段】
【０００７】
上記課題を解決するためになされた発明は、被覆導線の被覆を剥がすための被覆剥がし
具であって、ヒンジ部と、前記ヒンジ部を挟んで対向する一対の板状の操作板と、前記一
対の操作板のうち少なくとも一方の操作板の内面に設けられる凸条からなる切断刃とを備
え、前記ヒンジ部で前記一対の操作板の内面が対向するよう２つ折り可能に構成されてい
る。
【０００８】
このように、本発明の被覆剥がし具では一対の板状の操作板に切断刃を設けたので、被覆剥がし具を机の上等に置いて両手で導線を切断刃の上にセットすることができ、また、導線をセットした後、利き腕ではない方の手でも簡単に操作板を押さえることができるので、利き腕で導線を引っ張ることができる。従って、力の弱い小学生でも簡単に導線の被覆を剥がすことができる。
【０００９】
本発明の被覆剥がし具は、樹脂により一体成型されていることを特徴とする。こうすることで、安価に供給することができる。
【００１０】
前記切断刃は、前記一対の操作板の両方の内面に設けられている好ましい。こうすることで被覆導線の切断箇所により強い力を加えられるため、より被覆を剥がし易くすることができる。
【００１１】
前記ヒンジ部は、前記一対の操作板より薄肉の線状ヒンジからなることが好ましい。こうすることで、一対の操作板を重ね合わせる際に一対の操作板がずれないため被覆を剥がす作業をより簡単に行うことができる。特に、一対の操作板の両方に切断刃を備える場合は一対の切断刃が横ずれすることを抑制できる。
【００１２】
前記ヒンジ部が、前記一対の操舵板より薄肉の線状ヒンジからなる場合は、前記切断刃が、前記ヒンジ部に垂直に延び、前記切断刃の稜線が、ヒンジ部に垂直で、当該切断刃が設けられる操作板に対し傾斜するとともにヒンジ部の軸心に交差する直線上に設けられていることが好ましい。こうすることで、一方の操作板にのみ切断刃を備える場合は、切断刃と他方の操作板とを、両方の操作板に切断刃を備える場合は、切断刃と切断刃とを隙間なく重ねることができる。
【００１３】
前記切断刃の突出端部における横断面の輪郭は凸曲線状に設けられていることが好ましい。こうすることで、切断刃の稜線が潰れることを抑制できる。また、切断刃を一対備える場合は、切断刃が横ずれすることを抑制できる。
【００１４】
本発明の被覆剥がし具は、操作板の周縁から当該操作板に設けられる切断刃に垂直な方向に延出する物差しを備えることが好ましい。こうすることで、被覆導線の被覆を剥がす長さを測定しながら剥がすことができる。
【００１５】
本発明のランナーにパーツが一体的に設けられたパーツセットは、上記被覆剥がし具が一体的に設けられていることを特徴とする。このように、パーツセットに一体的に被覆剥がし具を設けることで、理科の教材として生徒に配布する場合等に、もれなく配布することができる。
【００１６】
本発明のパーツセットは、前記ランナーが、パーツセット周縁を取り囲む外枠ランナーを有し、前記被覆剥がし具が、前記外枠ランナーに設けられていることが好ましい。こうすることで、パーツセットの重さにより被覆剥がし具が安定するため、被覆剥がし具がより操作しやすくなる。
【発明の効果】
【００１７】
以上説明したように、本発明の被覆剥がし具、及びパーツセットによれば、力の弱い子供や爪の短い生徒であっても容易に被覆導線の被覆を剥がすことができる。
【図面の簡単な説明】
【００１８】
【図１】本発明の第１実施形態に係るパーツセットの被覆剥がし具が開いた状態における斜視図である。
【図２】図１のパーツセットの被覆剥がし具が閉じた状態における斜視図である。
【図３】図１のパーツセットの右側面図である。
【図４】図１のパーツセットの左側面図である。
【図５】図１のパーツセットの正面図である。
【図６】図１のパーツセットの背面図である。
【図７】図１のパーツセットの平面図である。
【図８】図１のパーツセットの底面図である。
【図９】図５の切断刃周辺の（ａ）部分拡大図、（ｂ）（ａ）のＩ−Ｉ線断面図である。
【図１０】本発明の第２実施形態に係る被覆剥がし具の斜視図である。
【図１１】本発明の第３実施形態に係る被覆剥がし具の斜視図である。
【図１２】本発明の第４実施形態に係るパーツセットの平面図である。
【発明を実施するための形態】
【００１９】
以下、適宜図面を用いながら本発明の実施形態について詳述する。ただし、本発明は、以下の実施形態に限定されるものではない。
【００２０】
（第１実施形態）
図１は、本発明の第１実施形態に係るパーツセット１００を示している。パーツセット１００は、樹脂を射出成形することにより一体成型され、被覆剥がし具１Ａと、ランナー２と、複数のパーツ３，３，…とを備えている。ランナー２は、角丸長方形状の外枠ランナー２１と、外枠ランナー２１の対向する一対の長辺２１ａ，２１ａ間を連結する中枠ランナー２２と、他のランナーから垂直に延出する枝状ランナー２３とを備え、各パーツ３は枝状ランナー２３先端の細くなったゲート２４を介して枝状ランナー２３に連結されている。パーツセット１００に用いる樹脂としては、ＰＥＴ（ポリエチレンテレフタレート）やＡＢＳ（アクリロニトリルブタジエンスチレン共重合体）、ＡＳ（アクリロニトリルスチレン共重合体）、ＰＦ（フェノールホルムアルデヒド）、ＰＰ（ポリプロピレン）、ＰＳ（ポリスチレン）等が好ましく用いられる他、公知の樹脂を適宜に用いることができる。
【００２１】
被覆剥がし具１Ａは、一対の操作板４１，４２と、一対の操作板４１，４２を相対回動可能に連結するヒンジ部５と、一対の操作板４１，４２の内面４１ａ，４２ａに１つずつ合わせて一対に設けられる切断刃６，６とを主に備える他、物差し７を備えている。
【００２２】
一対の操作板４１，４２は、ランナー２１に固定される固定側操作板４１と、ヒンジ部５を挟んで固定操作板４１と対向する回動側操作板４２とからなる。固定側操作板４１はヒンジ部５と反対側の端縁が外枠ランナー２１の短辺２１ｂの長手方向の一端部から外方へ延出するように設けられている。ヒンジ部５は、一対の操作板４１，４２よりも薄肉に設けられた線状部分からなる。回動側操作板４２は、ヒンジ部５を中心として開き戸状に回動し、その内面４２ａを固定側操作板４１の内面４１ａに対向させる。一対の操作板４１，４２の外面４１ｂ，４２ｂには、ヒンジ部５と平行に延びる４本の凸条からなる滑り止め８が設けられている。
【００２３】
一対の切断刃６，６は、ヒンジ部５に垂直に延びる凸条からなり、図９（ａ）に示すように反ヒンジ部側（図９（ａ）では左側）からヒンジ部側へかけて徐々に操作板４１，４２からの突出高さが低くなるように、かつ稜線６ａ，６ａが、操作板４１，４２に対し傾斜する直線状となるように設けられるとともに、ヒンジ部５の軸心を通る仮想の直線Ｌ上に設けられている。
また、切断刃６は、図９（ｂ）に示すように、突出端部６ｂの横断面が凸曲面状に設けられている。一対の切断刃６，６は、一対の操作板４１，４２を合わせると、互いの稜線６ａ，６ａを当接させるよう構成されている。また、突出端部６ｂは、被覆導線Ａの横滑りを防ぐために、稜線６ａに垂直な方向の凹条からなる案内条６ｃ（他の図では不図示）が設けられている。
【００２４】
物差し７は、固定操作板４１の側端から外枠ランナー２の短辺２１ｂに沿って延びる長板状をなし、固定操作板４１から遠ざかるにつれ大きくなる数字を記した目盛が設けられている。
【００２５】
次に、本実施形態にかかるパーツセット１００の被覆剥がし具１を用いて、被覆導線の被覆を剥がす方法、及び各部の構成による作用・効果を説明する。
被覆剥がし具１を用いて被覆導線の被覆を剥がす際には、まず、机の上等の平らな面にパーツセット１００を被覆剥がし具１の内面４１ａ，４２ａが上を向くように載置する。そして、両手を用いて、被覆導線の先端を物差し７側に向けて外枠ランナー２１の短辺２１ｂと略平行に延ばし、固定側操作板４１の切断刃６と略垂直に交差するようにして、当該切断刃６の上に載置する。この際、被覆を剥がす長さを表記した目盛に被覆導線の先端を合わせる。
被覆導線を切断刃６に載置したら、一方の手で回動側操作板４２をヒンジ部５周りに回動させて、回動側操作板４２の内面４２ａを固定側操作板４１の内面４１ａに対面させ、一対の切断刃６，６により、被覆導線を挟持する。そして、被覆導線を挟持したまま、他方の手で被覆導線の先端部分の被覆を反切断刃側へ引っ張る。すると、被覆が切断刃６，６で挟持した位置で切断されて、導線先端側の被覆が導線から抜け落ちる。一方の手が利き腕である場合には、回動側操作板４２を他方の手に持ち替えて押さえるようにし、一方の手で被覆導線を引っ張るようにしてもよい。
【００２６】
本実施形態の操作板４１，４２が平板状をなし、ヒンジ部で２つ折りするように構成されているため、上述したように、机の上のような平面上に載置して片手で開閉することができるため、利き腕で回動側操作板４２を閉じた後、利き腕でないほうの手に持ち替えて回動側操作板４２を押さえ、利き腕で導線を引っ張ることができる。また、稜線６ａが、ヒンジ部５に垂直で操作板４１又は４２に傾斜し、かつヒンジ部５の軸伸に交差する仮想の直線Ｌ上に設けられているため、一対の切断刃６、６を容易に合わせることができる。
【００２７】
また、切断刃６は、横断面における突出端部６ｂが凸曲面となるよう設けられているため、切断刃６，６同士が横ずれしにくく、また、稜線６ａが潰れにくい。
【００２８】
また、物差し７が切断刃６に垂直に設けられているので、被覆を剥がす長さを測定しながら被覆を剥がすことができる。物差し７が固定側操作板４１に設けられているので固定側操作板４１を安定させることができる。
【００２９】
また、被覆剥がし具１が外枠ランナー２１に設けられていることから、さらに固定操作板４１を安定させることができ、回動側操作板４２の操作が容易である。被覆剥がし具１Ａをパーツセット１００と一体的に設けたことにより、被覆剥がし具１Ａを安価に供給することができ、理科挟持として使用する際などには、生徒全員に容易に被覆剥がし具１Ａを配布することができる。
【００３０】
（第２実施形態）
図１０は、本発明の第２実施形態にかかる被覆剥がし具１Ｂを示している。被覆剥がし具１Ｂは、物差し７を設けず、パーツセットと独立して単独に形成されている。被覆剥がし具１Ｂでは、一対の操作板の区別がつかないため便宜上両方を回動側操作板の符号４２を付しているが、机の上の上に載置して一方の操作板４２を固定側操作板として用いることができることは言うまでもない。
【００３１】
（第３実施形態）
図１１は、本発明の第３実施形態に係る被覆剥がし具１Ｃを示している。被覆剥がし具１Ｃは、物差し７を備える一方で、パーツセットとは独立して設けられている。符号４１Ｃは固定側操作板を示している。
【００３２】
（第４実施形態）
図１２は、本発明の第３実施形態に係る被覆剥がし具１Ｄを示している。被覆剥がし具１Ｄは、他のパーツ３と同様に、外枠ランナー２１の内側において、中枠ランナー２から延出した枝状ランナー２３の先端にゲート２４を介して脱着可能に設けられている。被覆剥がし具１Ｄは、ゲート２４で枝状ランナー２３から切り離して単独で用いる。
【００３３】
本発明の被覆剥がし具は、上述した実施形態に限らず、例えば、一対の操作板を帯状のヒンジで連結するようにしてもよい。切断刃はヒンジ部に垂直でなくともよく、ヒンジ部の稜線は操作板に対し傾斜していなくともよいし、切断刃の突出端部は平面状でも、尖っていてもよい。本発明に係る被覆剥がし具は、金属や木材など樹脂以外で設けることもできる。また、本発明の被覆剥がし具は、平面上に載置せず操作することも可能である。
【符号の説明】
【００３４】
１００，２００  パーツセット
１Ａ，１Ｂ，１Ｃ，１Ｄ  被覆剥がし具
２  ランナー
３  パーツ
４１  固定操作板（操作板）
４２  回動側操作板（操作板）
４１ａ，４２ａ  内面
５  ヒンジ部
６  切断刃
６ａ  稜線
６ｂ  突出端部
Ｌ  ヒンジ部の軸心に交差する直線
【図１】
0006623065.tif 000002
【図２】
0006623065.tif 000003
【図３】
0006623065.tif 000004
【図４】
0006623065.tif 000005
【図５】
0006623065.tif 000006
【図６】
0006623065.tif 000007
【図７】
0006623065.tif 000008
【図８】
0006623065.tif 000009
【図９】
0006623065.tif 000010
【図１０】
0006623065.tif 000011
【図１１】
0006623065.tif 000012
【図１２】
0006623065.tif 000013